【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
被検体の断層像を撮像して得られる動画像を表示する表示部と、前記断層像の追跡したい部位をマークにより指定する操作部と、前記断層像から前記マークで指定した部位に対応する画像部位の動きを追跡する追跡手段と、前記表示部に表示される前記マークを前記動画像の動きに合せて移動表示させる制御手段とを備えて成る画像診断装置。
【請求項２】
被検体の断層像を超音波撮影法により撮影してなる動画像をＲＦ信号で記憶し、記憶された動画像の一のフレーム画像を表示する第１ステップと、該表示された前記一のフレーム画像において動きを追跡したい生体組織の指定部位に、目印を重畳表示させる指令を入力して前記指定部位を設定する第２ステップと、前記指定部位を含むサイズの切出し画像を前記一のフレーム画像に設定する第３ステップと、前記動画像の他のフレーム画像を検索して前記切出し画像と画像の一致度が最も高い同一サイズの局所画像を抽出する第４ステップと、該一致度が最も高い局所画像と前記切出し画像の座標差に基づいて前記指定部位の移動先座標を求める第５ステップとを含んでなり、
前記第４ステップは、前記一致度が最も高い局所画像と前記切出し画像の座標差に基づいて前記指定部位の移動先座標を求め、該移動先座標の周辺に対応する複数の前記ＲＦ信号を抽出し、該抽出した複数のＲＦ信号の相互相関をとり、該相互相関の最大値の位置に応じて前記移動先座標を補正する生体組織の動き追跡方法。
【請求項３】
前記抽出された局所画像を前記切出し画像とし、前記動画像のさらに他のフレーム画像に対して前記第４ステップと前記第５ステップを繰り返し実行して、前記指定部位の移動先座標を順次求めることを特徴とする請求項２に記載の生体組織の動き追跡方法。
【請求項４】
前記切出し画像のサイズは、前記指定部位の生体組織とは異なる生体組織を含む大きさの領域であることを特徴とする請求項２に記載の生体組織の動き追跡方法。
【請求項５】
前記第４ステップにおいて、前記切出し画像と画像の一致度が最も高い同一サイズの局所画像を抽出する検索範囲は、前記切出し画像よりも設定画素数大きい領域に設定されることを特徴とする請求項２に記載の生体組織の動き追跡方法。
【請求項６】
前記指定部位の移動先に前記動画像に重ねて前記目印を表示することを特徴とする請求項２乃至５のいずれかに記載の生体組織の動き追跡方法。
【請求項７】
前記指定部位の移動先座標を記憶しておき、前記動画像に重ねて前記目印の移動軌跡を表示することを特徴とする請求項６に記載の生体組織の動き追跡方法。
【請求項８】
前記指定部位の移動先座標を記憶しておき、該指定部位の移動量、移動速度、移動方向の少なくとも１つを求める第６ステップを含むことを特徴とする請求項２乃至５のいずれかに記載の生体組織の動き追跡方法。
【請求項９】
前記指定部位の移動量、移動速度、移動方向の少なくとも１つの変化を線図で表示することを特徴とする請求項８に記載の生体組織の動き追跡方法。
【請求項１０】
前記指定部位を心筋の心壁に複数設定し、各指定部位の移動方向を求め、移動方向の基準点を重心とし該重心に向かう方向とその反対方向の色を代えて、その時間変化を画像表示することを特徴とする請求項２乃至５のいずれかに記載の生体組織の動き追跡方法。
【請求項１１】
前記指定部位の移動速度に応じて輝度変調をかけることを特徴とする請求項１０に記載の生体組織の動き追跡方法。
【請求項１２】
前記指定部位を少なくとも２つ設定し、該２つの指定部位の移動先座標を記憶しておき、該２つの指定部位の距離と、その距離の変化と、その距離の変化速度と、その距離の変化率の少なくとも１つを算出する第６ステップを含むことを特徴とする請求項２乃至５のいずれかに記載の生体組織の動き追跡方法。
【請求項１３】
前記指定部位を心筋を挟んで少なくとも２つ設定し、心筋の厚み、厚み変化、厚み変化速度、厚み変化率の少なくとも１つを算出する第６ステップを含むことを特徴とする請求項２乃至５のいずれかに記載の生体組織の動き追跡方法。
【請求項１４】
前記指定部位を心室の内壁に沿って複数し、該複数の指定部位を結ぶ直線又は該直線の近似曲線に基づいて心室の容積及び該容積の変化を求めることを特徴とする請求項２乃至５のいずれかに記載の生体組織の動き追跡方法。
【請求項１５】
被検体の断層像を撮影してなる動画像が格納される記憶部と、前記動画像を表示可能な表示部と、指令を入力する操作部と、前記表示部に表示される前記動画像の生体組織の動きを追跡する自動追跡部と、前記記憶部と前記表示部と前記操作部と前記自動追跡部とを接続してなる信号伝送路とを有してなり、
前記操作部は、前記記憶部に格納された前記動画像の一のフレーム画像を前記表示部に表示させる指令と、該指令に応じて表示された前記一のフレーム画像において動きを追跡したい生体組織の指定部位に目印を重畳表示させる指令とを入力する手段を備え、
前記自動追跡部は、前記表示部に表示された前記一のフレーム画像の前記目印の位置に対応する前記指定部位を含むサイズの切出し画像を設定する切出し画像設定手段と、前記記憶部から前記動画像の他のフレーム画像を読み出して、前記切出し画像と画像の一致度が最も高い同一サイズの局所画像を抽出する切出し画像追跡手段と、該一致度が最も高い局所画像と前記切出し画像の座標差を求める移動量演算手段と、該座標差に基づいて前記指定部位の移動先座標を求める移動追跡手段とを備えてなる画像診断装置。
【請求項１６】
前記自動追跡部は、前記指定部位の移動先座標を記憶しておき、前記動画像に重ねて前記目印の移動軌跡を表示することを特徴とする請求項１５に記載の画像診断装置。
【請求項１７】
前記自動追跡部は、前記指定部位の移動先座標を記憶しておき、該指定部位の移動量、移動速度、移動方向の少なくとも１つを求めて、その変化を線図で前記表示部に表示することを特徴とする請求項１５に記載の画像診断装置。
【請求項１８】
前記自動追跡部は、前記操作部から入力設定される少なくとも２つの前記指定部位の移動先座標を記憶しておき、該２つの指定部位の距離と、その距離の変化と、その距離の変化速度と、その距離の変化率の少なくとも１つを算出して、その線図を前記表示部に表示することを特徴とする請求項１５に記載の画像診断装置。
【請求項１９】
前記自動追跡部は、前記操作部から心筋を挟んで入力設定される少なくとも２つの前記指定部位に基づいて、心筋の厚み、厚み変化、厚み変化速度、厚み変化率の少なくとも１つを算出して、その線図を前記表示部に表示することを特徴とする請求項１５に記載の画像診断装置。
【請求項２０】
前記自動追跡部は、前記操作部から入力設定される心室の内壁に沿った複数の前記指定部位の移動先を求め、該複数の指定部位を結ぶ直線又は該直線の近似曲線に基づいて心室の容積及び該容積の変化を求めて前記表示部に表示することを特徴とする請求項１５に記載の画像診断装置。
【請求項２１】
前記操作部は、前記指定部位に目印を重畳表示させる指令を入力する手段により前記指定部位を心筋の心壁に複数設定し、
前記自動追跡部は、前記各指定部位の移動方向を求め、移動方向の基準点を重心とし該重心に向かう方向とその反対方向の色を代えて、その時間変化を前記表示部に画像表示させることを特徴とする請求項１５に記載の画像診断装置。
【請求項２２】
前記自動追跡部は、前記各指定部位の移動速度に応じて輝度変調をかけて前記表示部に画像表示させることを特徴とする請求項２１に記載の画像診断装置。